(57)【要約】【課題】係合用フックを係合溝から外れ難くすることができるハンガーを提供すること。【解決手段】横方向に沿って一直線に延びるハンガー本体３と、基端が前記ハンガー本体３の長手方向における中央部に連続するようにして接続された吊下げ用フック２と、前記ハンガー本体３の一端に連続するようにして接続された係合ブロック７１と、前記ハンガー本体３の他端に連続するようにして接続されたヒンジ部６と、横方向に沿って一直線に延びるとともに、一端が前記ヒンジ６に連続するようにして接続され、他端に前記係合ブロック７１の内部に形成された係合溝と係合する係合フック５１が接続された横桟部材５と、を備えている。【選択図】図１
0003168767.tif 000002
【実用新案登録請求の範囲】
【請求項１】
横方向に沿って一直線に延びるハンガー本体と、
基端が前記ハンガー本体の長手方向における中央部に連続するようにして接続された吊下げ用フックと、
前記ハンガー本体の一端に連続するようにして接続された係合ブロックと、
前記ハンガー本体の他端に連続するようにして接続されたヒンジ部と、
横方向に沿って一直線に延びるとともに、一端が前記ヒンジに連続するようにして接続され、他端に前記係合ブロックの内部に形成された係合溝と係合する係合フックが接続された横桟部材と、を備えていることを特徴とするハンガー。
【請求項２】
前記係合フックは、前記横桟部材の端面中央部に連続するようにして接続されるとともに、前記横桟部材の長手方向軸線に沿って延びる断面視円形状を呈する丸棒部と、この丸棒部の端面に連続するようにして接続された球状部と、を備え、
前記係合溝は、前記球状部を受け入れる第一の溝と、前記丸棒部を受け入れる第二の溝と、を備えていることを特徴とする請求項１に記載のハンガー。
【請求項３】
前記第二の溝は、前記係合ブロックの内側の側面から外側の側面に向かって、前記第一の溝と連通するようにして掘り下げられた、前記ヒンジ部の側から見てＩ字形状を呈する溝と、前記係合ブロックの背面から正面に向かって、前記溝と連通するようにして掘り下げられた、背面視┌字形状を呈する切欠きと、を備えていることを特徴とする請求項２に記載のハンガー。
【請求項４】
前記係合ブロックの背面の側において縦方向に沿って延び、前記溝および前記切欠きを形成する直方体状の柱の裏面に、前記丸棒部の外周面と接するようにして前記丸棒部の一部を受け入れて、前記丸棒部の上方への抜け出しを防止する、前記ヒンジ部の側から見て円弧形状を呈する係止溝が形成されていることを特徴とする請求項３に記載のハンガー。
【請求項５】
前記ヒンジ部は、前記係合溝から前記係合フックが外れて、当該ヒンジ部に曲げ力が加わっていない状態で、前記係合フックが前記係合ブロックの下方に位置するように保持し、前記係合溝に前記係合フックが係合して、当該ヒンジ部に曲げ力が加わっている状態で、前記係合フックを前記係合溝の底面に向かって付勢する力が発生するように形成されていることを特徴とする請求項１から４のいずれか一項に記載のハンガー。
【請求項６】
一端が前記係合ブロックの内側の側面に連続するようにして接続され、他端が前記ハンガー本体の他端に位置する内側の側面に連続するようにして接続されて横方向に沿って一直線に延びる第二の横桟部材を備えていることを特徴とする請求項１から５のいずれか一項に記載のハンガー。
【請求項７】
前記横桟部材には、所定の幅で、かつ、所定の高さを有するとともに、上面から前記第二の横桟部材に向かって突出する突出部が、横方向に沿って少なくとも一つ設けられていることを特徴とする請求項６に記載のハンガー。
【請求項８】
前記突出部の高さは、前記係止溝に前記丸棒部が係合している状態で、前記第二の横桟部材との間に、タオル一枚分の厚みが形成される高さとされていることを特徴とする請求項７に記載のハンガー。
【請求項９】
前記ハンガー本体、前記吊下げ用フック、前記係合ブロック、前記ヒンジ部、前記係合フック、前記横桟部材、および前記第二の横桟部材は、再利用可能な材料で、一体的に形成されていることを特徴とする請求項６から８のいずれか一項に記載のハンガー。
【考案の詳細な説明】
【技術分野】
【０００１】
本考案は、例えば、手拭き用、顔拭き用、バス用等の各種タオル、座布団・クッション等のカバー、手芸用生地を陳列するのに用いて好適なハンガーに関するものである。
【背景技術】
【０００２】
手拭き用、顔拭き用、バス用等の各種タオル、座布団・クッション等のカバー、手芸用生地を陳列するハンガーとしては、例えば、特許文献１に開示されているものが知られている。
【先行技術文献】
【特許文献】
【０００３】
【特許文献１】意匠登録第１１０２５６４号公報
【考案の概要】
【考案が解決しようとする課題】
【０００４】
しかしながら、上記特許文献１に開示されているハンガーは、係合溝に対して係合用フックが単に上から引っ掛かっているだけなので、係合溝から係合フックが外れ易く、また、係合溝から係合フックが外れてしまった場合には、横桟部材に掛けていたタオル等が係合用フックの方に片寄り、見栄えが悪くなってしまうといった問題点があった。
【０００５】
本考案は、上記の事情に鑑みてなされたもので、係合用フックを係合溝から外れ難くすることができるハンガーを提供することを目的とする。
【課題を解決するための手段】
【０００６】
本考案は、上記課題を解決するため、以下の手段を採用した。
本考案に係るハンガーは、横方向に沿って一直線に延びるハンガー本体と、基端が前記ハンガー本体の長手方向における中央部に連続するようにして接続された吊下げ用フックと、前記ハンガー本体の一端に連続するようにして接続された係合ブロックと、前記ハンガー本体の他端に連続するようにして接続されたヒンジ部と、横方向に沿って一直線に延びるとともに、一端が前記ヒンジ部に連続するようにして接続され、他端に前記係合ブロックの内部に形成された係合溝と係合する係合フックが接続された横桟部材と、を備えている。
【０００７】
本考案に係るハンガーによれば、横桟部材の他端に連続するようにして接続された係合フックが、係合ブロックの内部に形成された係合溝に嵌り込んで係合し、係合フックが上方に移動しただけでは係合溝から簡単に抜け出さないようになっている。
これにより、係合用フックを係合溝から外れ難くすることができる。
【０００８】
上記ハンガーにおいて、前記係合フックは、前記横桟部材の端面中央部に連続するようにして接続されるとともに、前記横桟部材の長手方向軸線に沿って延びる断面視円形状を呈する丸棒部と、この丸棒部の端面に連続するようにして接続された球状部と、を備え、
前記係合溝は、前記球状部を受け入れる第一の溝と、前記丸棒部を受け入れる第二の溝と、を備えているとさらに好適である。
【０００９】
このようなハンガーによれば、球状部は第一の溝内に嵌り込み、丸棒部は第二の溝内にそれぞれ嵌り込むようになっている。
これにより、係合用フックを係合溝からより外れ難くすることができる。
【００１０】
上記ハンガーにおいて、前記第二の溝は、前記係合ブロックの内側の側面から外側の側面に向かって、前記第一の溝と連通するようにして掘り下げられた、前記ヒンジ部の側から見てＩ字形状を呈する溝と、前記係合ブロックの背面から正面に向かって、前記溝と連通するようにして掘り下げられた、背面視┌字形状を呈する切欠きと、を備えているとさらに好適である。
【００１１】
このようなハンガーによれば、係合フックを係合溝に係合させる際、丸棒部を横方向（背面側から正面側）に移動させて、丸棒部を切欠きの上部を介して溝の上部に挿入した（嵌め入れた）後、丸棒部を下方向に移動させて、丸棒部を溝の下部（底部）に挿入する（嵌め入れる）ようにして行う。
これにより、係合用フックを係合溝からより外れ難くすることができる。
【００１２】
上記ハンガーにおいて、前記係合ブロックの背面の側において縦方向に沿って延び、前記溝および前記切欠きを形成する直方体状の柱の裏面に、前記丸棒部の外周面と接するようにして前記丸棒部の一部を受け入れて、前記丸棒部の上方への抜け出しを防止する、前記ヒンジ部の側から見て円弧形状を呈する係止溝が形成されているとさらに好適である。
【００１３】
このようなハンガーによれば、係合溝に係合フックが完全に係合した状態、すなわち、丸棒部が溝の下部（底部）に挿入された（嵌め入れられた）状態で、丸棒部の外周面が、係止溝に係止された状態になる。
これにより、係合用フックを係合溝からより外れ難くすることができる。
【００１４】
上記ハンガーにおいて、前記ヒンジ部は、前記係合溝から前記係合フックが外れて、当該ヒンジ部に曲げ力が加わっていない状態で、前記係合フックが前記係合ブロックの下方に位置するように保持し、前記係合溝に前記係合フックが係合して、当該ヒンジ部に曲げ力が加わっている状態で、前記係合フックを前記係合溝の底面に向かって付勢する力が発生するように形成されているとさらに好適である。
【００１５】
このようなハンガーによれば、係合溝に係合フックが係合した状態で、係合フックを係合溝の底面に向かって付勢する力が発生することになり、係合フックが係合溝の底面に向かって常に押し付けられた状態になる。
これにより、係合用フックを係合溝からより外れ難くすることができる。
【００１６】
上記ハンガーにおいて、一端が前記係合ブロックの内側の側面に連続するようにして接続され、他端が前記ハンガー本体の他端に位置する内側の側面に連続するようにして接続されて横方向に沿って一直線に延びる第二の横桟部材を備えているとさらに好適である。
【００１７】
このようなハンガーによれば、被支持体（例えば、手拭き用、顔拭き用、バス用等の各種タオル、座布団・クッション等のカバー、手芸用生地）が、横桟部材と第二の横桟部材との間に挟み込まれた状態で保持されることになる。
これにより、被支持体の片寄りを防止することができ、当該ハンガーに掛けられている被支持体の見栄えを良くすることができる。
【００１８】
上記ハンガーにおいて、前記横桟部材には、所定の幅で、かつ、所定の高さを有するとともに、上面から前記第二の横桟部材に向かって突出する突出部が、横方向に沿って少なくとも一つ設けられているとさらに好適である。
【００１９】
このようなハンガーによれば、被支持体（例えば、手拭き用、顔拭き用、バス用等の各種タオル、座布団・クッション等のカバー、手芸用生地）が、横桟部材と第二の横桟部材との間に形成されたより小さな隙間に挟み込まれた状態で保持されることになる。
これにより、被支持体の片寄りをより防止することができ、当該ハンガーに掛けられている被支持体の見栄えをより良くすることができる。
【００２０】
上記ハンガーにおいて、前記突出部の高さは、前記係止溝に前記丸棒部が係合している状態で、前記第二の横桟部材との間に、タオル一枚分の厚みが形成される高さとされているとさらに好適である。
【００２１】
このようなハンガーによれば、被支持体（例えば、手拭き用、顔拭き用、バス用等の各種タオル、座布団・クッション等のカバー、手芸用生地）が、横桟部材と第二の横桟部材との間に形成されたタオル一枚分の厚みに相当する隙間に挟み込まれた状態で保持されることになる。
これにより、被支持体の片寄りをより防止することができ、当該ハンガーに掛けられている被支持体の見栄えをより良くすることができる。
【００２２】
上記ハンガーにおいて、前記ハンガー本体、前記吊下げ用フック、前記係合ブロック、前記ヒンジ部、前記係合フック、前記横桟部材、および前記第二の横桟部材は、再利用可能な材料で、一体的に形成されているとさらに好適である。
【００２３】
このようなハンガーによれば、すべての構成部材（要素）が再利用可能な同じ材料から形成されていることになる。
これにより、すべての構成部材（要素）を一つのリサイクル経路にのせて、新たな樹脂形成品の材料として容易にリサイクルすることができる。
【考案の効果】
【００２４】
本考案に係るハンガーによれば、係合用フックを係合溝から外れ難くすることができるという効果を奏する。
【図面の簡単な説明】
【００２５】
【図１】本考案の一実施形態に係るハンガーを背面側から見た斜視図であって、係合溝から係合フックが外れ、かつ、ヒンジ部に曲げ力が加わっていない状態を示す図である。
【図２】本考案の一実施形態に係るハンガーを背面側から見た斜視図であって、係止溝に丸棒部が係合し、かつ、ヒンジ部に曲げ力が加わっている状態を示す図である。
【図３】図１の要部を拡大して背面側から見た図である。
【図４】係止溝に丸棒部が係合する途中の段階を示す図であって、図３と同様の図である。
【図５】図２の要部を拡大して背面側から見た図である。
【図６】図２の要部を拡大して示す拡大図である。
【図７】本考案の一実施形態に係るハンガーの正面図であって、係合溝から係合フックが外れ、かつ、ヒンジ部に曲げ力が加わっていない状態を示す図である。
【図８】図７のＡ−Ａ矢視断面図である。
【図９】図７のＢ−Ｂ矢視断面図である。
【図１０】図７に示すハンガーの平面図（上面図）である。
【図１１】図７に示すハンガーの底面図である。
【図１２】図７に示すハンガーの左側面図である。
【図１３】図７に示すハンガーの右側面図である。
【図１４】図７に示すハンガーの背面図である。
【図１５】本考案の一実施形態に係るハンガーの正面図であって、係止溝に丸棒部が係合し、かつ、ヒンジ部に曲げ力が加わっている状態を示す図である。
【図１６】図１５のＣ−Ｃ矢視断面図である。
【図１７】図１５のＤ−Ｄ矢視断面図である。
【図１８】図１５に示すハンガーの平面図（上面図）である。
【図１９】図１５に示すハンガーの底面図である。
【図２０】図１５に示すハンガーの左側面図である。
【図２１】図１５に示すハンガーの右側面図である。
【図２２】図１５に示すハンガーの背面図である。
【考案を実施するための形態】
【００２６】
以下、本考案の一実施形態に係るハンガーについて、図１から図２２を参照しながら説明する。
図１は本実施形態に係るハンガーを背面側から見た斜視図であって、係合溝から係合フックが外れ、かつ、ヒンジ部に曲げ力が加わっていない状態を示す図、図２は本実施形態に係るハンガーを背面側から見た斜視図であって、係止溝に丸棒部が係合し、かつ、ヒンジ部に曲げ力が加わっている状態を示す図、図３は図１の要部を拡大して背面側から見た図、図４は係止溝に丸棒部が係合する途中の段階を示す図であって、図３と同様の図、図５は図２の要部を拡大して背面側から見た図、図６は図２の要部を拡大して示す拡大図、図７は本実施形態に係るハンガーの正面図であって、係合溝から係合フックが外れ、かつ、ヒンジ部に曲げ力が加わっていない状態を示す図、図８は図７のＡ−Ａ矢視断面図、図９は図７のＢ−Ｂ矢視断面図、図１０は図７に示すハンガーの平面図（上面図）、図１１は図７に示すハンガーの底面図、図１２は図７に示すハンガーの左側面図、図１３は図７に示すハンガーの右側面図、図１４は図７に示すハンガーの背面図、図１５は本実施形態に係るハンガーの正面図であって、係止溝に丸棒部が係合し、かつ、ヒンジ部に曲げ力が加わっている状態を示す図、図１６は図１５のＣ−Ｃ矢視断面図、図１７は図１５のＤ−Ｄ矢視断面図、図１８は図１５に示すハンガーの平面図（上面図）、図１９は図１５に示すハンガーの底面図、図２０は図１５に示すハンガーの左側面図、図２１は図１５に示すハンガーの右側面図、図２２は図１５に示すハンガーの背面図である。
【００２７】
本実施形態に係るハンガー（以下、「タオルハンガー」という。）１は、図示しない手拭き用、顔拭き用、バス用等の各種タオル、座布団・クッション等のカバー、手芸用生地等の被支持体が吊り下げられる（掛けられる）ものであって、全体（すべての構成要素）が再利用可能な材料である樹脂を用いて一体に形成されたものである。一体に形成する方法としては、射出成型等の公知の方法を用いることができ、特に限定するものではない。
【００２８】
図１から図２２の少なくとも一図に示すように、タオルハンガー１は、吊下げ用フック（フック部）２と、ハンガー本体（本体部）３と、第一の横桟部材（実用新案登録請求の範囲では「第二の横桟部材」）４と、第二の横桟部材５と、ヒンジ部６と、ロック機構７とを備えており、吊下げ用フック２、ハンガー本体３、第二の横桟部材（実用新案登録請求の範囲では「横桟部材」）５、ヒンジ部６、およびロック機構７は、縦方向（例えば、図７において上下方向）および横（幅）方向（例えば、図７において左右方向）の全体にわたっておおよそ一定の板厚を有するようにして形成されている。
【００２９】
吊下げ用フック２は、基端（根元）がハンガー本体３の長手方向（例えば、図７において左右方向）における中央部に連続するようにして接続される（設けられる）とともに、先端（先っぽ）と、ハンガー本体３の一側（例えば、図７において右側）に位置する上面３１との間に所定の隙間Ｇを有するようにして形成された背面視鉤状、断面視Ｈ字形状を呈する部材であって、タオルが吊り下げられたタオルハンガー１、あるいはタオルハンガー１そのものを図示しない陳列用のハンガー等に掛ける際に用いられるものである。また、吊下げ用フック２の内周縁部および外周縁部にはそれぞれ、背面視（略）ク字状を呈する肉厚部（補強リブ）２１が、吊下げ用フック２の先端からハンガー本体３の上面３１の中央部まで連続するようにして形成されている（設けられている）。
【００３０】
ハンガー本体３は、断面視Ｈ字形状を呈する棒状の部材であり、横方向に沿って一直線に延びる横長部３２と、この横長部３２の両端（一端および他端）から下方に向かって湾曲しながら垂下する湾曲部３３とを備えている。また、これら横長部３２および湾曲部３３の上端縁部および下端縁部にはそれぞれ、ハンガー本体３の一端（例えば、図７において左端）から他端（例えば、図７において右端）まで連続するようにして肉厚部（補強リブ）３４が形成されている（設けられている）。
【００３１】
横長部３２の一端に連続するようにして接続された（形成された）湾曲部３３の下端には、ロック機構７を構成する係合ブロック７１が連続するようにして接続され（形成され）、横長部３２の他端に連続するようにして接続された（形成された）湾曲部３３の下端には、ヒンジ部６が連続するようにして接続されている（形成されている）。
【００３２】
第一の横桟部材４は、断面視円形状を呈するとともに、横方向に沿って一直線に延びる棒状の部材であり、一端が横長部３２の一端に連続するようにして接続されたロック機構７を構成する係合ブロック７１の（上端部）内側の側面７１ａに連続するようにして接続され（形成され）、他端が横長部３２の他端に連続するようにして接続された湾曲部３３の内側の側面に連続するようにして接続されている（形成されている）。
【００３３】
第二の横桟部材５は、断面視Ｈ字形状を呈するとともに、横方向に沿って一直線に延びる棒状の部材であり、一端（例えば、図７において右端）がヒンジ部６に連続するようにして接続されている（形成されている）。一方、第二の横桟部材５の他端には、ロック機構７を構成する係合フック５１が連続するようにして接続されている（形成されている）。
第二の横桟部材５の上端縁部および下端縁部にはそれぞれ、第二の横桟部材５の一端（例えば、図７において左端）から他端（例えば、図７において右端）まで連続するようにして肉厚部（補強リブ）５２が形成されている（設けられている）。また、第二の横桟部材５には、所定の幅で、かつ、所定の高さ（係止溝７８に丸棒部５５が係合している状態で第一の横桟部材４との間に所定の隙間（例えば、タオル一枚分の厚み）ｇ（図５参照）ができるような高さ）を有するとともに、上面５３から上方に向かって突出する突出部５４が、横方向に沿って少なくとも一つ（本実施形態では二つ）形成されている（設けられている）。
【００３４】
ヒンジ部６は、横長部３２の他端に連続するようにして接続された（形成された）湾曲部３３の下端と、第二の横桟部材５の一端とを連結する部材である。また、ヒンジ部６は、係合溝７２から係合フック５１が外れて、ヒンジ部６に曲げ力が加わっていない状態（例えば、図３に示す状態）で、係合フック５１が係合ブロック７１の下方に位置するように保持し、係止溝７８に丸棒部５５が係合して、ヒンジ部６に曲げ力が加わっている状態（例えば、図５に示す状態）で、丸棒部５５および球状部５６を係合溝７２の底面７２ａに向かって付勢する（押しつける）力が発生するように形成されている。
【００３５】
ロック機構７は、係合フック５１と、係合ブロック７１とを備えている。
係合フック５１は、第二の横桟部材５の（先）端面中央部に連続するようにして接続されるとともに、第二の横桟部材５の長手方向軸線に沿って延びる断面視円形状を呈する丸棒部５５と、この丸棒部５５の（先）端面に連続するようにして接続された球状部５６とを備えている。
【００３６】
係合ブロック７１は、縦に長い直方体形状を呈するブロック状の部材であり、内部には係合溝７２が形成されている（設けられている）。
係合溝７２は、係合フック５１の球状部５６を受け入れる第一の溝７３と、係合フック５１の丸棒部５５を受け入れる第二の溝７４とを備えている。
第一の溝７３は、係合ブロック７１の背面７１ｂから正面７１ｃに向かって所定の深さ掘り下げられた（彫り込まれた）、背面視Ｏ（オー）字形状を呈する溝（穴）である。
第二の溝７４は、係合ブロック７１の内側の側面７１ａから外側の側面７１ｄに向かって、第一の溝７３と連通するようにして掘り下げられた（彫り込まれた）、ヒンジ部６の側から見てＩ字形状を呈する溝（穴）７５と、係合ブロック７１の背面７１ｂから正面７１ｃに向かって、溝７５と連通するようにして掘り下げられた（彫り込まれた）、背面視┌字形状を呈する切欠き７６とを備えている。
なお、溝７５の深さ方向（例えば、図７において左右方向）における中央部で、切欠き７６および柱７７と対向する係合ブロック７１は、例えば、図８または図１６に示すように、正面７１ｃの側に貫通している。
【００３７】
これら溝７５および切欠き７６、すなわち、第二の溝７４は、係合ブロック７１の背面７１ｂの側において縦方向に沿って延びる直方体状の柱７７により形成されている。また、柱７７の正面（係合ブロック７１の背面７１ｂと反対側の面）７７ａには、丸棒部５５の外周面と接するようにして丸棒部５５の一部を受け入れて、丸棒部５５の上方への抜け出しを防止する、ヒンジ部６の側から見て円弧形状（または半円形状）を呈する係止溝７８が形成されている（設けられている）。
【００３８】
本実施形態に係るハンガー１によれば、第二の横桟部材５の他端に連続するようにして接続された係合フック５１が、係合ブロック７１の内部に形成された係合溝７２に嵌り込んで係合し、係合フック５１が上方に移動しただけでは係合溝７２から簡単に抜け出さないようになっている。
これにより、係合用フック５１を係合溝７２から外れ難くすることができる。
【００３９】
また、本実施形態に係るハンガー１によれば、係合フック５１は、第二の横桟部材（横桟部材）５の端面中央部に連続するようにして接続されるとともに、第二の横桟部材５の長手方向軸線に沿って延びる断面視円形状を呈する丸棒部５５と、この丸棒部５５の端面に連続するようにして接続された球状部５６と、を備え、係合溝７２は、球状部５６を受け入れる第一の溝７３と、丸棒部５５を受け入れる第二の溝７４と、を備えており、球状部５６は第一の溝７３内に嵌り込み、丸棒部５５は第二の溝７４内にそれぞれ嵌り込むようになっている。
これにより、係合用フック５１を係合溝７２からより外れ難くすることができる。
【００４０】
さらに、本実施形態に係るハンガー１によれば、第二の溝７４は、係合ブロック７１の内側の側面７１ａから外側の側面７１ｄに向かって、第一の溝７３と連通するようにして掘り下げられた、ヒンジ部６の側から見てＩ字形状を呈する溝７５と、係合ブロック７１の背面７１ｂから正面７１ｃに向かって、溝７５と連通するようにして掘り下げられた、背面視┌字形状を呈する切欠き７６と、を備えており、係合フック５１を係合溝７２に係合させる際、丸棒部５５を横方向（背面７１ｂの側から正面７１ｃの側）に移動させて、丸棒部５５を切欠き７６の上部を介して溝７５の上部に挿入した（嵌め入れた）後、丸棒部５５を下方向に移動させて、丸棒部５５を溝７５の下部（底部）に挿入する（嵌め入れる）ようにして行う。
これにより、係合用フック５１を係合溝７２からより外れ難くすることができる。
【００４１】
さらにまた、本実施形態に係るハンガー１によれば、係合ブロック７１の背面７１ｂの側において縦方向に沿って延び、溝７５および切欠き７６を形成する直方体状の柱７７の裏面に、丸棒部５５の外周面と接するようにして丸棒部５５の一部を受け入れて、丸棒部５５の上方への抜け出しを防止する、ヒンジ部６の側から見て円弧形状を呈する係止溝７８が形成されており、係合溝７２に係合フック５１が完全に係合した状態、すなわち、丸棒部５５が溝７５の下部（底部）に挿入された（嵌め入れられた）状態で、丸棒部５５の外周面が、係止溝７８に係止された状態になる。
これにより、係合用フック５１を係合溝７２からより外れ難くすることができる。
【００４２】
さらにまた、本実施形態に係るハンガー１によれば、ヒンジ部６は、係合溝７２から係合フック５１が外れて、ヒンジ部６に曲げ力が加わっていない状態で、係合フック５１が係合ブロック７１の下方に位置するように保持し、係合溝７２に係合フック５１が係合して、ヒンジ部６に曲げ力が加わっている状態で、係合フック５１を係合溝７２の底面７２ａに向かって付勢する力が発生するように形成されており、係合溝７２に係合フック５１が係合した状態で、係合フック５１を係合溝７２の底面７２ａに向かって付勢する力が発生することになり、係合フック５１が係合溝７２の底面７２ａに向かって常に押し付けられた状態になる。
これにより、係合用フック５１を係合溝７２からより外れ難くすることができる。
【００４３】
さらにまた、本実施形態に係るハンガー１によれば、一端が係合ブロック７１の内側の側面７１ａに連続するようにして接続され、他端がハンガー本体３の他端に位置する内側の側面に連続するようにして接続されて横方向に沿って一直線に延びる第一の横桟部材（第二の横桟部材）４を備えており、図示しない手拭き用、顔拭き用、バス用等の各種タオル、座布団・クッション等のカバー、手芸用生地等の被支持体が、第二の横桟部材４と第一の横桟部材５との間に挟み込まれた状態で保持されることになる。
これにより、被支持体の片寄りを防止することができ、当該ハンガー１に掛けられている被支持体の見栄えを良くすることができる。
【００４４】
さらにまた、本実施形態に係るハンガー１によれば、第二の横桟部材５には、所定の幅で、かつ、所定の高さを有するとともに、上面から第一の横桟部材４に向かって突出する突出部５４が、横方向に沿って少なくとも一つ（本実施形態では二つ）設けられており、図示しない手拭き用、顔拭き用、バス用等の各種タオル、座布団・クッション等のカバー、手芸用生地等の被支持体が、第二の横桟部材５と第一の横桟部材４との間に形成されたより小さな隙間に挟み込まれた状態で保持されることになる。
これにより、被支持体の片寄りをより防止することができ、当該ハンガー１に掛けられている被支持体の見栄えをより良くすることができる。
【００４５】
さらにまた、本実施形態に係るハンガー１によれば、突出部５４の高さは、係止溝７２に丸棒部５５が係合している状態で、第一の横桟部材４との間に、タオル一枚分の厚みが形成される高さとされており、図示しない手拭き用、顔拭き用、バス用等の各種タオル、座布団・クッション等のカバー、手芸用生地等の被支持体が、横桟部材と第二の横桟部材との間に形成されたタオル一枚分の厚みに相当する隙間に挟み込まれた状態で保持されることになる。
これにより、被支持体の片寄りをより防止することができ、当該ハンガー１に掛けられている被支持体の見栄えをより良くすることができる。
【００４６】
さらにまた、本実施形態に係るハンガー１によれば、ハンガー本体３、吊下げ用フック２、係合ブロック７１、ヒンジ部６、係合フック５１、第二の横桟部材５、および第一の横桟部材４は、再利用可能な材料で、一体的に形成されている。すなわち、ハンガー１を構成（形成）するすべての構成部材（要素）が再利用可能な同じ材料から形成されていることになる。
これにより、すべての構成部材（要素）を一つのリサイクル経路にのせて、新たな樹脂形成品の材料として容易にリサイクルすることができる。
【００４７】
なお、本考案は上述した実施形態に限定されるものではなく、本考案の要旨を逸脱しない範囲内において適宜変更することができる。
【符号の説明】
【００４８】
１    ハンガー
２    吊下げ用フック
３    ハンガー本体
４    第一の横桟部材（第二の横桟部材）
５    第二の横桟部材（横桟部材）
６    ヒンジ部
５１    係合フック
５４    突出部
５５    丸棒部
５６    球状部
７１    係合ブロック
７１ａ  側面
７１ｂ  背面
７１ｃ  正面
７１ｄ  側面
７２    係合溝
７２ａ  底面
７３    第一の溝
７４    第二の溝
７５    溝
７６    切欠き
７７    柱
７８    係止溝
【図１】
0003168767.tif 000003
【図２】
0003168767.tif 000004
【図３】
0003168767.tif 000005
【図４】
0003168767.tif 000006
【図５】
0003168767.tif 000007
【図６】
0003168767.tif 000008
【図７】
0003168767.tif 000009
【図８】
0003168767.tif 000010
【図９】
0003168767.tif 000011
【図１０】
0003168767.tif 000012
【図１１】
0003168767.tif 000013
【図１２】
0003168767.tif 000014
【図１３】
0003168767.tif 000015
【図１４】
0003168767.tif 000016
【図１５】
0003168767.tif 000017
【図１６】
0003168767.tif 000018
【図１７】
0003168767.tif 000019
【図１８】
0003168767.tif 000020
【図１９】
0003168767.tif 000021
【図２０】
0003168767.tif 000022
【図２１】
0003168767.tif 000023
【図２２】
0003168767.tif 000024
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
横方向に沿って一直線に延びるハンガー本体と、
基端が前記ハンガー本体の長手方向における中央部に連続するようにして接続された吊下げ用フックと、
前記ハンガー本体の一端に連続するようにして接続された係合ブロックと、
前記ハンガー本体の他端に連続するようにして接続されたヒンジ部と、
横方向に沿って一直線に延びるとともに、一端が前記ヒンジに連続するようにして接続され、他端に前記係合ブロックの内部に形成された係合溝と係合する係合フックが接続された横桟部材と、を備えていることを特徴とするハンガー。
【請求項２】
前記係合フックは、前記横桟部材の端面中央部に連続するようにして接続されるとともに、前記横桟部材の長手方向軸線に沿って延びる断面視円形状を呈する丸棒部と、この丸棒部の端面に連続するようにして接続された球状部と、を備え、
前記係合溝は、前記球状部を受け入れる第一の溝と、前記丸棒部を受け入れる第二の溝と、を備えていることを特徴とする請求項１に記載のハンガー。
【請求項３】
前記第二の溝は、前記係合ブロックの内側の側面から外側の側面に向かって、前記第一の溝と連通するようにして掘り下げられた、前記ヒンジ部の側から見てＩ字形状を呈する溝と、前記係合ブロックの背面から正面に向かって、前記溝と連通するようにして掘り下げられた、背面視Ｌ字形状を呈する切欠きと、を備えていることを特徴とする請求項２に記載のハンガー。
【請求項４】
前記係合ブロックの背面の側において縦方向に沿って延び、前記溝および前記切欠きを形成する直方体状の柱の裏面に、前記丸棒部の外周面と接するようにして前記丸棒部の一部を受け入れて、前記丸棒部の上方への抜け出しを防止する、前記ヒンジ部の側から見て円弧形状を呈する係止溝が形成されていることを特徴とする請求項３に記載のハンガー。
【請求項５】
前記ヒンジ部は、前記係合溝から前記係合フックが外れて、当該ヒンジ部に曲げ力が加わっていない状態で、前記係合フックが前記係合ブロックの下方に位置するように保持し、前記係合溝に前記係合フックが係合して、当該ヒンジ部に曲げ力が加わっている状態で、前記係合フックを前記係合溝の底面に向かって付勢する力が発生するように形成されていることを特徴とする請求項１から４のいずれか一項に記載のハンガー。
【請求項６】
一端が前記係合ブロックの内側の側面に連続するようにして接続され、他端が前記ハンガー本体の他端に位置する内側の側面に連続するようにして接続されて横方向に沿って一直線に延びる第二の横桟部材を備えていることを特徴とする請求項１から５のいずれか一項に記載のハンガー。
【請求項７】
前記横桟部材には、所定の幅で、かつ、所定の高さを有するとともに、上面から前記第二の横桟部材に向かって突出する突出部が、横方向に沿って少なくとも一つ設けられていることを特徴とする請求項６に記載のハンガー。
【請求項８】
前記突出部の高さは、前記係止溝に前記丸棒部が係合している状態で、前記第二の横桟部材との間に、タオル一枚分の厚みが形成される高さとされていることを特徴とする請求項７に記載のハンガー。
【請求項９】
前記ハンガー本体、前記吊下げ用フック、前記係合ブロック、前記ヒンジ部、前記係合フック、前記横桟部材、および前記第二の横桟部材は、再利用可能な材料で、一体的に形成されていることを特徴とする請求項６から８のいずれか一項に記載のハンガー。
【手続補正２】
【補正対象書類名】明細書
【補正対象項目名】全文
【補正方法】変更
【補正の内容】
【考案の詳細な説明】
【技術分野】
【０００１】
本考案は、例えば、手拭き用、顔拭き用、バス用等の各種タオル、座布団・クッション等のカバー、手芸用生地を陳列するのに用いて好適なハンガーに関するものである。
【背景技術】
【０００２】
手拭き用、顔拭き用、バス用等の各種タオル、座布団・クッション等のカバー、手芸用生地を陳列するハンガーとしては、例えば、特許文献１に開示されているものが知られている。
【先行技術文献】
【特許文献】
【０００３】
【特許文献１】意匠登録第１１０２５６４号公報
【考案の概要】
【考案が解決しようとする課題】
【０００４】
しかしながら、上記特許文献１に開示されているハンガーは、係合溝に対して係合用フックが単に上から引っ掛かっているだけなので、係合溝から係合フックが外れ易く、また、係合溝から係合フックが外れてしまった場合には、横桟部材に掛けていたタオル等が係合用フックの方に片寄り、見栄えが悪くなってしまうといった問題点があった。
【０００５】
本考案は、上記の事情に鑑みてなされたもので、係合用フックを係合溝から外れ難くすることができるハンガーを提供することを目的とする。
【課題を解決するための手段】
【０００６】
本考案は、上記課題を解決するため、以下の手段を採用した。
本考案に係るハンガーは、横方向に沿って一直線に延びるハンガー本体と、基端が前記ハンガー本体の長手方向における中央部に連続するようにして接続された吊下げ用フックと、前記ハンガー本体の一端に連続するようにして接続された係合ブロックと、前記ハンガー本体の他端に連続するようにして接続されたヒンジ部と、横方向に沿って一直線に延びるとともに、一端が前記ヒンジ部に連続するようにして接続され、他端に前記係合ブロックの内部に形成された係合溝と係合する係合フックが接続された横桟部材と、を備えている。
【０００７】
本考案に係るハンガーによれば、横桟部材の他端に連続するようにして接続された係合フックが、係合ブロックの内部に形成された係合溝に嵌り込んで係合し、係合フックが上方に移動しただけでは係合溝から簡単に抜け出さないようになっている。
これにより、係合用フックを係合溝から外れ難くすることができる。
【０００８】
上記ハンガーにおいて、前記係合フックは、前記横桟部材の端面中央部に連続するようにして接続されるとともに、前記横桟部材の長手方向軸線に沿って延びる断面視円形状を呈する丸棒部と、この丸棒部の端面に連続するようにして接続された球状部と、を備え、
前記係合溝は、前記球状部を受け入れる第一の溝と、前記丸棒部を受け入れる第二の溝と、を備えているとさらに好適である。
【０００９】
このようなハンガーによれば、球状部は第一の溝内に嵌り込み、丸棒部は第二の溝内にそれぞれ嵌り込むようになっている。
これにより、係合用フックを係合溝からより外れ難くすることができる。
【００１０】
上記ハンガーにおいて、前記第二の溝は、前記係合ブロックの内側の側面から外側の側面に向かって、前記第一の溝と連通するようにして掘り下げられた、前記ヒンジ部の側から見てＩ字形状を呈する溝と、前記係合ブロックの背面から正面に向かって、前記溝と連通するようにして掘り下げられた、背面視Ｌ字形状を呈する切欠きと、を備えているとさらに好適である。
【００１１】
このようなハンガーによれば、係合フックを係合溝に係合させる際、丸棒部を横方向（背面側から正面側）に移動させて、丸棒部を切欠きの上部を介して溝の上部に挿入した（嵌め入れた）後、丸棒部を下方向に移動させて、丸棒部を溝の下部（底部）に挿入する（嵌め入れる）ようにして行う。
これにより、係合用フックを係合溝からより外れ難くすることができる。
【００１２】
上記ハンガーにおいて、前記係合ブロックの背面の側において縦方向に沿って延び、前記溝および前記切欠きを形成する直方体状の柱の裏面に、前記丸棒部の外周面と接するようにして前記丸棒部の一部を受け入れて、前記丸棒部の上方への抜け出しを防止する、前記ヒンジ部の側から見て円弧形状を呈する係止溝が形成されているとさらに好適である。
【００１３】
このようなハンガーによれば、係合溝に係合フックが完全に係合した状態、すなわち、丸棒部が溝の下部（底部）に挿入された（嵌め入れられた）状態で、丸棒部の外周面が、係止溝に係止された状態になる。
これにより、係合用フックを係合溝からより外れ難くすることができる。
【００１４】
上記ハンガーにおいて、前記ヒンジ部は、前記係合溝から前記係合フックが外れて、当該ヒンジ部に曲げ力が加わっていない状態で、前記係合フックが前記係合ブロックの下方に位置するように保持し、前記係合溝に前記係合フックが係合して、当該ヒンジ部に曲げ力が加わっている状態で、前記係合フックを前記係合溝の底面に向かって付勢する力が発生するように形成されているとさらに好適である。
【００１５】
このようなハンガーによれば、係合溝に係合フックが係合した状態で、係合フックを係合溝の底面に向かって付勢する力が発生することになり、係合フックが係合溝の底面に向かって常に押し付けられた状態になる。
これにより、係合用フックを係合溝からより外れ難くすることができる。
【００１６】
上記ハンガーにおいて、一端が前記係合ブロックの内側の側面に連続するようにして接続され、他端が前記ハンガー本体の他端に位置する内側の側面に連続するようにして接続されて横方向に沿って一直線に延びる第二の横桟部材を備えているとさらに好適である。
【００１７】
このようなハンガーによれば、被支持体（例えば、手拭き用、顔拭き用、バス用等の各種タオル、座布団・クッション等のカバー、手芸用生地）が、横桟部材と第二の横桟部材との間に挟み込まれた状態で保持されることになる。
これにより、被支持体の片寄りを防止することができ、当該ハンガーに掛けられている被支持体の見栄えを良くすることができる。
【００１８】
上記ハンガーにおいて、前記横桟部材には、所定の幅で、かつ、所定の高さを有するとともに、上面から前記第二の横桟部材に向かって突出する突出部が、横方向に沿って少なくとも一つ設けられているとさらに好適である。
【００１９】
このようなハンガーによれば、被支持体（例えば、手拭き用、顔拭き用、バス用等の各種タオル、座布団・クッション等のカバー、手芸用生地）が、横桟部材と第二の横桟部材との間に形成されたより小さな隙間に挟み込まれた状態で保持されることになる。
これにより、被支持体の片寄りをより防止することができ、当該ハンガーに掛けられている被支持体の見栄えをより良くすることができる。
【００２０】
上記ハンガーにおいて、前記突出部の高さは、前記係止溝に前記丸棒部が係合している状態で、前記第二の横桟部材との間に、タオル一枚分の厚みが形成される高さとされているとさらに好適である。
【００２１】
このようなハンガーによれば、被支持体（例えば、手拭き用、顔拭き用、バス用等の各種タオル、座布団・クッション等のカバー、手芸用生地）が、横桟部材と第二の横桟部材との間に形成されたタオル一枚分の厚みに相当する隙間に挟み込まれた状態で保持されることになる。
これにより、被支持体の片寄りをより防止することができ、当該ハンガーに掛けられている被支持体の見栄えをより良くすることができる。
【００２２】
上記ハンガーにおいて、前記ハンガー本体、前記吊下げ用フック、前記係合ブロック、前記ヒンジ部、前記係合フック、前記横桟部材、および前記第二の横桟部材は、再利用可能な材料で、一体的に形成されているとさらに好適である。
【００２３】
このようなハンガーによれば、すべての構成部材（要素）が再利用可能な同じ材料から形成されていることになる。
これにより、すべての構成部材（要素）を一つのリサイクル経路にのせて、新たな樹脂形成品の材料として容易にリサイクルすることができる。
【考案の効果】
【００２４】
本考案に係るハンガーによれば、係合用フックを係合溝から外れ難くすることができるという効果を奏する。
【図面の簡単な説明】
【００２５】
【図１】本考案の一実施形態に係るハンガーを背面側から見た斜視図であって、係合溝から係合フックが外れ、かつ、ヒンジ部に曲げ力が加わっていない状態を示す図である。
【図２】本考案の一実施形態に係るハンガーを背面側から見た斜視図であって、係止溝に丸棒部が係合し、かつ、ヒンジ部に曲げ力が加わっている状態を示す図である。
【図３】図１の要部を拡大して背面側から見た図である。
【図４】係止溝に丸棒部が係合する途中の段階を示す図であって、図３と同様の図である。
【図５】図２の要部を拡大して背面側から見た図である。
【図６】図２の要部を拡大して示す拡大図である。
【図７】本考案の一実施形態に係るハンガーの正面図であって、係合溝から係合フックが外れ、かつ、ヒンジ部に曲げ力が加わっていない状態を示す図である。
【図８】図７のＡ−Ａ矢視断面図である。
【図９】図７のＢ−Ｂ矢視断面図である。
【図１０】図７に示すハンガーの平面図（上面図）である。
【図１１】図７に示すハンガーの底面図である。
【図１２】図７に示すハンガーの左側面図である。
【図１３】図７に示すハンガーの右側面図である。
【図１４】図７に示すハンガーの背面図である。
【図１５】本考案の一実施形態に係るハンガーの正面図であって、係止溝に丸棒部が係合し、かつ、ヒンジ部に曲げ力が加わっている状態を示す図である。
【図１６】図１５のＣ−Ｃ矢視断面図である。
【図１７】図１５のＤ−Ｄ矢視断面図である。
【図１８】図１５に示すハンガーの平面図（上面図）である。
【図１９】図１５に示すハンガーの底面図である。
【図２０】図１５に示すハンガーの左側面図である。
【図２１】図１５に示すハンガーの右側面図である。
【図２２】図１５に示すハンガーの背面図である。
【考案を実施するための形態】
【００２６】
以下、本考案の一実施形態に係るハンガーについて、図１から図２２を参照しながら説明する。
図１は本実施形態に係るハンガーを背面側から見た斜視図であって、係合溝から係合フックが外れ、かつ、ヒンジ部に曲げ力が加わっていない状態を示す図、図２は本実施形態に係るハンガーを背面側から見た斜視図であって、係止溝に丸棒部が係合し、かつ、ヒンジ部に曲げ力が加わっている状態を示す図、図３は図１の要部を拡大して背面側から見た図、図４は係止溝に丸棒部が係合する途中の段階を示す図であって、図３と同様の図、図５は図２の要部を拡大して背面側から見た図、図６は図２の要部を拡大して示す拡大図、図７は本実施形態に係るハンガーの正面図であって、係合溝から係合フックが外れ、かつ、ヒンジ部に曲げ力が加わっていない状態を示す図、図８は図７のＡ−Ａ矢視断面図、図９は図７のＢ−Ｂ矢視断面図、図１０は図７に示すハンガーの平面図（上面図）、図１１は図７に示すハンガーの底面図、図１２は図７に示すハンガーの左側面図、図１３は図７に示すハンガーの右側面図、図１４は図７に示すハンガーの背面図、図１５は本実施形態に係るハンガーの正面図であって、係止溝に丸棒部が係合し、かつ、ヒンジ部に曲げ力が加わっている状態を示す図、図１６は図１５のＣ−Ｃ矢視断面図、図１７は図１５のＤ−Ｄ矢視断面図、図１８は図１５に示すハンガーの平面図（上面図）、図１９は図１５に示すハンガーの底面図、図２０は図１５に示すハンガーの左側面図、図２１は図１５に示すハンガーの右側面図、図２２は図１５に示すハンガーの背面図である。
【００２７】
本実施形態に係るハンガー（以下、「タオルハンガー」という。）１は、図示しない手拭き用、顔拭き用、バス用等の各種タオル、座布団・クッション等のカバー、手芸用生地等の被支持体が吊り下げられる（掛けられる）ものであって、全体（すべての構成要素）が再利用可能な材料である樹脂を用いて一体に形成されたものである。一体に形成する方法としては、射出成型等の公知の方法を用いることができ、特に限定するものではない。
【００２８】
図１から図２２の少なくとも一図に示すように、タオルハンガー１は、吊下げ用フック（フック部）２と、ハンガー本体（本体部）３と、第一の横桟部材（実用新案登録請求の範囲では「第二の横桟部材」）４と、第二の横桟部材５と、ヒンジ部６と、ロック機構７とを備えており、吊下げ用フック２、ハンガー本体３、第二の横桟部材（実用新案登録請求の範囲では「横桟部材」）５、ヒンジ部６、およびロック機構７は、縦方向（例えば、図７において上下方向）および横（幅）方向（例えば、図７において左右方向）の全体にわたっておおよそ一定の板厚を有するようにして形成されている。
【００２９】
吊下げ用フック２は、基端（根元）がハンガー本体３の長手方向（例えば、図７において左右方向）における中央部に連続するようにして接続される（設けられる）とともに、先端（先っぽ）と、ハンガー本体３の一側（例えば、図７において右側）に位置する上面３１との間に所定の隙間Ｇを有するようにして形成された背面視鉤状、断面視Ｈ字形状を呈する部材であって、タオルが吊り下げられたタオルハンガー１、あるいはタオルハンガー１そのものを図示しない陳列用のハンガー等に掛ける際に用いられるものである。また、吊下げ用フック２の内周縁部および外周縁部にはそれぞれ、背面視（略）ク字状を呈する肉厚部（補強リブ）２１が、吊下げ用フック２の先端からハンガー本体３の上面３１の中央部まで連続するようにして形成されている（設けられている）。
【００３０】
ハンガー本体３は、断面視Ｈ字形状を呈する棒状の部材であり、横方向に沿って一直線に延びる横長部３２と、この横長部３２の両端（一端および他端）から下方に向かって湾曲しながら垂下する湾曲部３３とを備えている。また、これら横長部３２および湾曲部３３の上端縁部および下端縁部にはそれぞれ、ハンガー本体３の一端（例えば、図７において左端）から他端（例えば、図７において右端）まで連続するようにして肉厚部（補強リブ）３４が形成されている（設けられている）。
【００３１】
横長部３２の一端に連続するようにして接続された（形成された）湾曲部３３の下端には、ロック機構７を構成する係合ブロック７１が連続するようにして接続され（形成され）、横長部３２の他端に連続するようにして接続された（形成された）湾曲部３３の下端には、ヒンジ部６が連続するようにして接続されている（形成されている）。
【００３２】
第一の横桟部材４は、断面視円形状を呈するとともに、横方向に沿って一直線に延びる棒状の部材であり、一端が横長部３２の一端に連続するようにして接続されたロック機構７を構成する係合ブロック７１の（上端部）内側の側面７１ａに連続するようにして接続され（形成され）、他端が横長部３２の他端に連続するようにして接続された湾曲部３３の内側の側面に連続するようにして接続されている（形成されている）。
【００３３】
第二の横桟部材５は、断面視Ｈ字形状を呈するとともに、横方向に沿って一直線に延びる棒状の部材であり、一端（例えば、図７において右端）がヒンジ部６に連続するようにして接続されている（形成されている）。一方、第二の横桟部材５の他端には、ロック機構７を構成する係合フック５１が連続するようにして接続されている（形成されている）。
第二の横桟部材５の上端縁部および下端縁部にはそれぞれ、第二の横桟部材５の一端（例えば、図７において左端）から他端（例えば、図７において右端）まで連続するようにして肉厚部（補強リブ）５２が形成されている（設けられている）。また、第二の横桟部材５には、所定の幅で、かつ、所定の高さ（係止溝７８に丸棒部５５が係合している状態で第一の横桟部材４との間に所定の隙間（例えば、タオル一枚分の厚み）ｇ（図５参照）ができるような高さ）を有するとともに、上面５３から上方に向かって突出する突出部５４が、横方向に沿って少なくとも一つ（本実施形態では二つ）形成されている（設けられている）。
【００３４】
ヒンジ部６は、横長部３２の他端に連続するようにして接続された（形成された）湾曲部３３の下端と、第二の横桟部材５の一端とを連結する部材である。また、ヒンジ部６は、係合溝７２から係合フック５１が外れて、ヒンジ部６に曲げ力が加わっていない状態（例えば、図３に示す状態）で、係合フック５１が係合ブロック７１の下方に位置するように保持し、係止溝７８に丸棒部５５が係合して、ヒンジ部６に曲げ力が加わっている状態（例えば、図５に示す状態）で、丸棒部５５および球状部５６を係合溝７２の底面７２ａに向かって付勢する（押しつける）力が発生するように形成されている。
【００３５】
ロック機構７は、係合フック５１と、係合ブロック７１とを備えている。
係合フック５１は、第二の横桟部材５の（先）端面中央部に連続するようにして接続されるとともに、第二の横桟部材５の長手方向軸線に沿って延びる断面視円形状を呈する丸棒部５５と、この丸棒部５５の（先）端面に連続するようにして接続された球状部５６とを備えている。
【００３６】
係合ブロック７１は、縦に長い直方体形状を呈するブロック状の部材であり、内部には係合溝７２が形成されている（設けられている）。
係合溝７２は、係合フック５１の球状部５６を受け入れる第一の溝７３と、係合フック５１の丸棒部５５を受け入れる第二の溝７４とを備えている。
第一の溝７３は、係合ブロック７１の背面７１ｂから正面７１ｃに向かって所定の深さ掘り下げられた（彫り込まれた）、背面視Ｏ（オー）字形状を呈する溝（穴）である。
第二の溝７４は、係合ブロック７１の内側の側面７１ａから外側の側面７１ｄに向かって、第一の溝７３と連通するようにして掘り下げられた（彫り込まれた）、ヒンジ部６の側から見てＩ字形状を呈する溝（穴）７５と、係合ブロック７１の背面７１ｂから正面７１ｃに向かって、溝７５と連通するようにして掘り下げられた（彫り込まれた）、背面視Ｌ字形状を呈する切欠き７６とを備えている。
なお、溝７５の深さ方向（例えば、図７において左右方向）における中央部で、切欠き７６および柱７７と対向する係合ブロック７１は、例えば、図８または図１６に示すように、正面７１ｃの側に貫通している。
【００３７】
これら溝７５および切欠き７６、すなわち、第二の溝７４は、係合ブロック７１の背面７１ｂの側において縦方向に沿って延びる直方体状の柱７７により形成されている。また、柱７７の正面（係合ブロック７１の背面７１ｂと反対側の面）７７ａには、丸棒部５５の外周面と接するようにして丸棒部５５の一部を受け入れて、丸棒部５５の上方への抜け出しを防止する、ヒンジ部６の側から見て円弧形状（または半円形状）を呈する係止溝７８が形成されている（設けられている）。
【００３８】
本実施形態に係るハンガー１によれば、第二の横桟部材５の他端に連続するようにして接続された係合フック５１が、係合ブロック７１の内部に形成された係合溝７２に嵌り込んで係合し、係合フック５１が上方に移動しただけでは係合溝７２から簡単に抜け出さないようになっている。
これにより、係合用フック５１を係合溝７２から外れ難くすることができる。
【００３９】
また、本実施形態に係るハンガー１によれば、係合フック５１は、第二の横桟部材（横桟部材）５の端面中央部に連続するようにして接続されるとともに、第二の横桟部材５の長手方向軸線に沿って延びる断面視円形状を呈する丸棒部５５と、この丸棒部５５の端面に連続するようにして接続された球状部５６と、を備え、係合溝７２は、球状部５６を受け入れる第一の溝７３と、丸棒部５５を受け入れる第二の溝７４と、を備えており、球状部５６は第一の溝７３内に嵌り込み、丸棒部５５は第二の溝７４内にそれぞれ嵌り込むようになっている。
これにより、係合用フック５１を係合溝７２からより外れ難くすることができる。
【００４０】
さらに、本実施形態に係るハンガー１によれば、第二の溝７４は、係合ブロック７１の内側の側面７１ａから外側の側面７１ｄに向かって、第一の溝７３と連通するようにして掘り下げられた、ヒンジ部６の側から見てＩ字形状を呈する溝７５と、係合ブロック７１の背面７１ｂから正面７１ｃに向かって、溝７５と連通するようにして掘り下げられた、背面視Ｌ字形状を呈する切欠き７６と、を備えており、係合フック５１を係合溝７２に係合させる際、丸棒部５５を横方向（背面７１ｂの側から正面７１ｃの側）に移動させて、丸棒部５５を切欠き７６の上部を介して溝７５の上部に挿入した（嵌め入れた）後、丸棒部５５を下方向に移動させて、丸棒部５５を溝７５の下部（底部）に挿入する（嵌め入れる）ようにして行う。
これにより、係合用フック５１を係合溝７２からより外れ難くすることができる。
【００４１】
さらにまた、本実施形態に係るハンガー１によれば、係合ブロック７１の背面７１ｂの側において縦方向に沿って延び、溝７５および切欠き７６を形成する直方体状の柱７７の裏面に、丸棒部５５の外周面と接するようにして丸棒部５５の一部を受け入れて、丸棒部５５の上方への抜け出しを防止する、ヒンジ部６の側から見て円弧形状を呈する係止溝７８が形成されており、係合溝７２に係合フック５１が完全に係合した状態、すなわち、丸棒部５５が溝７５の下部（底部）に挿入された（嵌め入れられた）状態で、丸棒部５５の外周面が、係止溝７８に係止された状態になる。
これにより、係合用フック５１を係合溝７２からより外れ難くすることができる。
【００４２】
さらにまた、本実施形態に係るハンガー１によれば、ヒンジ部６は、係合溝７２から係合フック５１が外れて、ヒンジ部６に曲げ力が加わっていない状態で、係合フック５１が係合ブロック７１の下方に位置するように保持し、係合溝７２に係合フック５１が係合して、ヒンジ部６に曲げ力が加わっている状態で、係合フック５１を係合溝７２の底面７２ａに向かって付勢する力が発生するように形成されており、係合溝７２に係合フック５１が係合した状態で、係合フック５１を係合溝７２の底面７２ａに向かって付勢する力が発生することになり、係合フック５１が係合溝７２の底面７２ａに向かって常に押し付けられた状態になる。
これにより、係合用フック５１を係合溝７２からより外れ難くすることができる。
【００４３】
さらにまた、本実施形態に係るハンガー１によれば、一端が係合ブロック７１の内側の側面７１ａに連続するようにして接続され、他端がハンガー本体３の他端に位置する内側の側面に連続するようにして接続されて横方向に沿って一直線に延びる第一の横桟部材（第二の横桟部材）４を備えており、図示しない手拭き用、顔拭き用、バス用等の各種タオル、座布団・クッション等のカバー、手芸用生地等の被支持体が、第二の横桟部材４と第一の横桟部材５との間に挟み込まれた状態で保持されることになる。
これにより、被支持体の片寄りを防止することができ、当該ハンガー１に掛けられている被支持体の見栄えを良くすることができる。
【００４４】
さらにまた、本実施形態に係るハンガー１によれば、第二の横桟部材５には、所定の幅で、かつ、所定の高さを有するとともに、上面から第一の横桟部材４に向かって突出する突出部５４が、横方向に沿って少なくとも一つ（本実施形態では二つ）設けられており、図示しない手拭き用、顔拭き用、バス用等の各種タオル、座布団・クッション等のカバー、手芸用生地等の被支持体が、第二の横桟部材５と第一の横桟部材４との間に形成されたより小さな隙間に挟み込まれた状態で保持されることになる。
これにより、被支持体の片寄りをより防止することができ、当該ハンガー１に掛けられている被支持体の見栄えをより良くすることができる。
【００４５】
さらにまた、本実施形態に係るハンガー１によれば、突出部５４の高さは、係止溝７２に丸棒部５５が係合している状態で、第一の横桟部材４との間に、タオル一枚分の厚みが形成される高さとされており、図示しない手拭き用、顔拭き用、バス用等の各種タオル、座布団・クッション等のカバー、手芸用生地等の被支持体が、横桟部材と第二の横桟部材との間に形成されたタオル一枚分の厚みに相当する隙間に挟み込まれた状態で保持されることになる。
これにより、被支持体の片寄りをより防止することができ、当該ハンガー１に掛けられている被支持体の見栄えをより良くすることができる。
【００４６】
さらにまた、本実施形態に係るハンガー１によれば、ハンガー本体３、吊下げ用フック２、係合ブロック７１、ヒンジ部６、係合フック５１、第二の横桟部材５、および第一の横桟部材４は、再利用可能な材料で、一体的に形成されている。すなわち、ハンガー１を構成（形成）するすべての構成部材（要素）が再利用可能な同じ材料から形成されていることになる。
これにより、すべての構成部材（要素）を一つのリサイクル経路にのせて、新たな樹脂形成品の材料として容易にリサイクルすることができる。
【００４７】
なお、本考案は上述した実施形態に限定されるものではなく、本考案の要旨を逸脱しない範囲内において適宜変更することができる。
【符号の説明】
【００４８】
１    ハンガー
２    吊下げ用フック
３    ハンガー本体
４    第一の横桟部材（第二の横桟部材）
５    第二の横桟部材（横桟部材）
６    ヒンジ部
５１    係合フック
５４    突出部
５５    丸棒部
５６    球状部
７１    係合ブロック
７１ａ  側面
７１ｂ  背面
７１ｃ  正面
７１ｄ  側面
７２    係合溝
７２ａ  底面
７３    第一の溝
７４    第二の溝
７５    溝
７６    切欠き
７７    柱
７８    係止溝